(57)【要約】      （修正有）【課題】分離可能な一体構造とし、手廻しハンドルにより安全且つ労力を少なくして、高齢者も簡単に操作できるスクラップ台車を提供する。【解決手段】バケット１と台車１９がスタンドにより一体化されており固定車２０、ブレーキ付自在車２１により移動が容易となり、ハンドル６により各歯車により徐々に回転できるような構造である。ウォーム歯車組合せにより徐々に回転してバケット内の物体、液体等を少しづつ取り出し、前面ストッパーゴムにより作業を完了し、ハンドルの逆回転により定位置戻り後ストッパーゴムにより作業が完了する。製品スクラップ、液体等の搬送、取り出しが円滑に容易に行われるようにする。【選択図】図１
0003149630.tif 000002
【実用新案登録請求の範囲】
【請求項１】
金属加工品、土砂、石材、穀物、廃材及び液体等の内容物が許容重さ範囲内で、バケットの重心を回転中心として常に内容物の重さのバランスを保つことを、特徴とした搬送手廻し式スクラップ台車。
【請求項２】
急激に回転傾斜を与えないようハンドル操作により傘歯車よりウォーム歯車と連動動により、チェーンを介して円滑に定速回転を可能ならしめる搬送手廻し式スクラップ台車。
【請求項３】
注油を必要とする回転部は、すべて点検時注油不要のメタルを使用して、その特徴を利用して労力の軽減化と円滑をはかる装置とした搬送手廻し式スクラップ台車。
【考案の詳細な説明】
【考案の詳細な説明】
【技術分野】
【０００１】  本来は金属加工品、土砂、石材、穀物や液体等の運搬持出等のおける作業の安全等及び全等及び作業労力の軽減化に関する台車。
【背景技術】
【０００２】  従来の運搬作業では所定のバケットと台車が別々であって、その都度労力を必要労力を必要として移し替えと排出が行われていて、安全性と労力がおろそかにされているのが現状である。
【考案の開示】
【考案が解決しようとする課題】
【０００３】  従来の運搬方法に於ては安全性と労力が必要以上負担となり、その上、疲労を伴う危険性も高くなる問題点がある。【０００４】  従来では排出の際、瞬時にその作業が行われることが一般的なため、その作業では、特に高齢者では、その取り扱いが困難で危険性が高くなることが多くなる欠点を解決しようとするとのことにある。
【課題が解決するための手段】
【０００５】  本考案はバケットと台車を取り外し可能な一体形構造としてハンドル操作により、傘歯車よりウォーム歯車を介してチェン連動によりバケットを徐々に回転させながら内容物を取り出し操作性をかねた安全性と労力の軽減化をはかり従来の問題点を解決している。
【０００６】  本考案は回転とバランスの円滑化をはかるためバケットの重心を回転中心とし、且つ回転部には注油を必要としないメタルを使用した構造を有し、急激な回転及び反動を少なくして高齢者も作業が容易に取り扱いが出来るように従来の問題点は解決している。
なお必要によりフォークリフトにて運搬可能にしたフォーク差込口を設けて運搬の多様性を設けてある。
【考案の効果】
【０００７】  上述の如くハンドル操作の設置と重心位置を回転中心として一定回転に保つことにより安全に操作が可能になり、不要な負担も変動を少なくして高齢者にその取り扱いが容易となる効果が高くなる。
【考案を実施するための最良の形態】
【０００８】  ハンドル操作による運搬物取り出し方法と駆動チェン車の固定ピンを取り外してバケットトを素早く傾けて運搬物を一気に取り出すことが可能になり作業の多様化が得られることになる。
【実施例】
【０００９】  以下添付は図面に従って一実施例を説明する。１は鋼製で軽量化の溶接構造のバケット、回転ピン１７と駆動回転ピン１５を支えるスタンド右４とスタンド左５とで支えられて、元々スタンドはボルトにより台車１９に取り付けられている。【００１０】  回転部は、ハンドル６により傘歯車７を介してウォーム歯車８，９を通して、チェン車により駆動チェン車１５にチェン１０を介して回転が可能となる。チェン１０はチェン張チェン車１３によりチェン車ピン１４の調整によりチェンのゆるみ防止をする。【００１２】  バケット１は回転時の衝撃防止のため前面ストッパーゴム２に急激な張りの保護を目的とし、定位置のもどる時は、後部ストッパーゴム３によりゆるやかに衝撃を保護する。
【産業上の利用可能性】
【００１１】  本考案は今後搬送、供給取り出し等の作業性からみて、染料、塗料その他特殊液体等の製造ライン於いても利用価値を高められて、その利用価値は操作する者にとって作業環境が改善されて生産性が高くなることにある。
【図面の簡単な説明】
【００１３】
【図１】  右側面図
【図２】  正面図
【図３】  チェン部分図
【図４】  平面図
【図５】  左側面図
【符号の説明】
【００１４】１．バケット
２．前面ストッパーゴム
３．後面ストッパーゴム
４．スタンド右
５．スタンド左
６．ハンドル
７．傘歯車
８．ウォーム歯車
９．ウォームホイル車
１０．チェン
１１．連結軸
１２．チェン車
１３．チェン張りチェン車
１４．チェン車ピン
１５．駆動チェン車
１６．駆動チェン車固定ピン
１７．回転ピン
１８．駆動回転ピン
１９．台車
２０．固定車
２１．ブレーキ付自在車
２２．取手
２３．ハンドルフック
２４．軸受（回転ピン用）
２５．軸受
２６．軸受
【図１】
0003149630.tif 000003
【図２】
0003149630.tif 000004
【図３】
0003149630.tif 000005
【図４】
0003149630.tif 000006
【図５】
0003149630.tif 000007
【手続補正書】
【提出日】平成19年9月21日(2007.9.21)
【手続補正１】
【補正対象書類名】実用新案登録請求の範囲
【補正対象項目名】全文
【補正方法】変更
【補正の内容】
【実用新案登録請求の範囲】
【請求項１】
図１に示す如く金属加工品、土砂、石材、穀物、廃材及び液体等の内容物を許容重さ範囲内でバケットの重心が図３に示す駆動回転ピン１８、及び回転ピン１７の位置と同心として回転中心を構成して常に内容物の重さのバランスを保つことを特徴とした搬送手廻し式スクラップ台車。
【請求項２】
台車の搬送時急激に回転傾斜を与えないよう図１及び図４に示されるハンドル６により傘歯車７よりウォーム歯車８、ウォームホイル車９を連動して、チェン１０を介して円滑且つ定速回転が可能であることを特徴とする請求項１に記載の搬送手廻し式スクラップ台車。
【請求項３】
図２、図３に示されるように主要の回転部には軸受２４、軸受２５及び軸受２６と毎日の注油を必要としない部品で構成し、他の傘歯車７、ウォーム歯車８、及びチェン車１４ピン等の回転部には、ブッシュとなる無給油メタルを使用して日常点検を必要とする注油の手間、労力の軽減を計る目的で使用。このように回転部には注油を必要としないことを特徴とする請求項１の搬送手廻し式スクラップ台車。
【手続補正書】
【提出日】平成20年1月18日(2008.1.18)
【手続補正１】
【補正対象書類名】実用新案登録請求の範囲
【補正対象項目名】全文
【補正方法】変更
【補正の内容】
【実用新案登録請求の範囲】
【請求項１】
本手廻し式スクラップ台車は分離可能な組み合わせを有する以下の３つの要素からの組みあわせに於いて、
（１）バケットの支点はバケット本体の重心を回転中心とし本回転のバランスを重きにおいて回転ピンと駆動ピンによって支持されてムラ無く回転することの性能を重視、
（２）バケットの回転はバケット支持の回転ピンと平行にある一組のかさ歯車の軸の一端に取り外し可能なハンドルにより回転を与え、このかさ歯車の回転により直交する軸に取り付けされてあるウォーム歯車に連動、このギアにより、減速比率が大きくしてウォーム歯車に伝達、そして同軸上の他端にあるチェン車に介してチェン張りチェン車によりチェンのひるみ防止を経て駆動チェン車に連動して駆動回転ピンを円滑定速回転を得、
（３）３種類の機械部品で構成される各回転部即ちかさ歯車、ウォーム歯車及びウォームホイール歯車、そしてチェンと回転ピンは労力の軽減化と回転運動を円滑を目的として、各部に無給油メタルと軸受併用することにより各部品の性能を高めることにあり、
以上から成る組合せがその各部材のもつ各特徴をを生かしてバケットのバランス及び労力の軽減化、円滑化を特徴とした手廻式スクラップ台車。
【手続補正書】
【提出日】平成20年5月16日(2008.5.16)
【手続補正１】
【補正対象書類名】実用新案登録請求の範囲
【補正対象項目名】全文
【補正方法】変更
【補正の内容】
【実用新案登録請求の範囲】
【請求項１】
本手廻し式スクラップ台車は分離可能な組み合わせを有し、一般のバケットのように内容物の取出中のバランスの不備により急な傾きの衝撃を受けるような事故の原因となる事を考えて以下の３つの要素よりその改善効果を高める事を目的として、
（１）バケットの重心を回転中心として、その位置に各々駆動回転ピンともう一方の側には回転ピンを設け、軸受によって支持され、常に水平に保たれるようにバランスを重視、
（２）バケットの回転中に何か原因等により急に回転を受けるような力を加わった時は駆動部の駆動回転ピンによりチェンを介して連結軸にあるウォームホイール車に作用、ウォーム歯車及び駆動源のかさ歯車よりハンドルに作用して衝撃を受けるものと思われる。ウォームホイール車の逆転作用が働いて小さい力を受け止める事が可能となり、常に必要以上の力を要せず安定した回転が保たれる事を得、
（３）２の様にハンドルを介してのかさ歯車とウォーム歯車、そしてウォームホイール車を通して、チェンを介してのバケットの駆動が円滑に且つ自由位置での停止が得られる事を目的としていることにある、
以上から成る組合せがその各部材のもつ利点を生かしてバケットのバランス及び労力の軽減化、円滑化及び安全性を主にした手廻し式スクラップ台車。
【手続補正書】
【提出日】平成20年9月11日(2008.9.11)
【手続補正１】
【補正対象書類名】実用新案登録請求の範囲
【補正対象項目名】全文
【補正方法】変更
【補正の内容】
【実用新案登録請求の範囲】
【請求項１】
本手廻し式スクラップ台車は分離可能な組み合わせを有し、一般のバケットのように内容物の取出中のバランスの不備により急な傾きの衝撃を受けるような事故の原因となる事を考えて以下の３つの要素よりその改善効果を高める事を目的として、
（１）バケットの重心を回転中心として、その位置に各々駆動回転ピンともう一方の側には回転ピンを設け、軸受によって支持され、常に水平に保たれるようにバランスを重視、
（２）バケットの回転中に何か原因等により急に回転を受けるような力を加わった時は駆動部の駆動回転ピンによりチェンを介して連結軸にあるウォームホイール車に作用、ウォーム歯車及び駆動源のかさ歯車よりハンドルに作用して衝撃を受けるものと思われ、ウォームホイール車の逆転作用が働いて小さい力を受け止める事が可能となり、常に必要以上の力を要せず安定した回転が保たれる事を得、
（３）この様にハンドルを介してのかさ歯車とウォーム歯車、そしてウォームホイール車を通して、チェンを介してのバケットの駆動が円滑に且つ自由位置での停止が得られる事を目的としていることにある、
以上から成る組合せがその各部材のもつ利点を生かしてバケットのバランス及び労力の軽減化、円滑化及び安全性を主にした手廻し式スクラップ台車。
【手続補正書】
【提出日】平成21年1月8日(2009.1.8)
【手続補正１】
【補正対象書類名】実用新案登録請求の範囲
【補正対象項目名】全文
【補正方法】変更
【補正の内容】
【実用新案登録請求の範囲】
【請求項１】
分離可能な組み合わせを有する手廻し式スクラップ台車であって、
（１）バケットの重心を回転中心として、その位置に各々駆動回転ピンともう一方の側には回転ピンを設け、軸受によって支持され、常に水平に保たれるように構成されており、
（２）バケットの回転中に急に回転を受けるような力を加わった時は駆動部の駆動回転ピンによりチェンを介して連結軸にあるウォームホイール車に作用し、ウォーム歯車及び駆動源のかさ歯車よりハンドルに作用して衝撃を受け、ウォームホイール車の逆転作用が働いて小さい力を受け止める事が可能であり、
（３）ハンドルを介してのかさ歯車とウォーム歯車、そしてウォームホイール車を通して、チェンを介してのバケットの円滑な駆動且つ自由位置での停止が得られる、
以上の構成を特徴とした手廻し式スクラップ台車。